(57)【要約】【課題】本発明は、ゴルフスイングに重要な力点、支点、作用を体感しながら正しいインパクトゾーンを習得することができるゴルフスイング練習器の提供を課題とする。【解決手段】、本練習器１は、長さが８００ｍｍ〜１２００ｍｍの細長い棒状であって、固有振動数が２４０〜２６０サイクル／分であるＡＢＳ樹脂等の弾性素材から形成され、その基端部が手で握るためのグリップ部１２となされるとともに、先端部１１がグリップ部１２の左右動作に応じて小刻みに振動するものとなされている。これによりスイングに重要な力点、支点、作用を体感しながら正しいインパクトゾーンを習得することができる。【選択図】      図１
2008194274.tif 000002
【特許請求の範囲】
【請求項１】
長さが８００ｍｍ〜１２００ｍｍの細長い棒状であって、固有振動数が２４０〜２６０サイクル／分である弾性素材から形成され、その基端部が手で握るためのグリップ部となされるとともに、先端部がグリップ部の左右動作に応じて小刻みに振動するものとなされているゴルフスイング練習器。
【請求項２】
長さ方向に対して直角な方向の断面が矩形状に形成されている請求項１に記載のゴルフスイング練習器。
【請求項３】
前記断面の縦長さが１８ｍｍ〜２２ｍｍ、横長さが１２ｍｍ〜１６ｍｍとなされている請求項２に記載のゴルフスイング練習器。
【請求項４】
前記弾性素材はＡＢＳ樹脂である請求項１ないし請求項３のいずれかに記載のゴルフスイング練習器。
【請求項５】
前記グリップ部にゴム製のグリップカバーが被覆されている請求項１ないし請求項４のいずれかに記載のゴルフスイング練習器。
【請求項６】
先端部においてスイング方向に対して垂直となるような平板が設けられている請求項１ないし請求項５のいずれかに記載のゴルフスイング練習器。
【発明の詳細な説明】
【技術分野】
【０００１】
本発明は、ゴルフスイングを練習するに際して用いられるゴルフスイング練習器に関する。
【背景技術】
【０００２】
従来、クラブやアイアンのゴルフスイングを練習するに様々な練習器が知られている。このうちシャフトを弾性素材で構成したものとして、例えば特許文献１、２などが知られている。
【０００３】
特許文献１は、表面に握り部分としてのグリップ部を有する剛性シャフト部と、シャフト部の先端から延び、可撓性とともに略直線状態への復元弾性を有する振り子部とを有するものが記載されている。
【０００４】
また、特許文献２は、弾性の良い、中が空洞となっている円筒状の塩化ビニールをゴルフクラブのシャフトに見立て、握る部分にはグリップを装着し、先端部には危険防止のためのスポンジを取り付けて構成したものが記載されている。
【０００５】
【特許文献１】特開２００２−２０４８４５号公報
【特許文献２】特開２００２−２００１０７号公報
【発明の開示】
【発明が解決しようとする課題】
【０００６】
しかしながら、従来の練習器は、スイング時において大きく撓ることを目的としたものであって、非常に柔らかい弾性素材から構成されたものであった。このためクラブやアイアンに見立てた単なるスイング感覚を多少感じるに過ぎないものであり、正しいインパクトゾーンを習得することができないものであった。
【０００７】
本発明は、上記問題に鑑みてなされたものであって、ゴルフスイングに重要な力点、支点、作用を体感しながら正しいインパクトゾーンを習得することができるゴルフスイング練習器の提供を課題とする。
【課題を解決するための手段】
【０００８】
本発明は、プロゴルファーである出願人が、ゴルフスイングに重要な力点、支点、作用を体感しながら正しいインパクトゾーンを習得するためには、練習器全体を単に撓らせるのではなく、練習器の先端部を小刻みに振動させることが最適であることを発見し、当該振動を実現するためにその形状や素材を工夫したものである。
【０００９】
すなわち、本発明は、長さが８００ｍｍ〜１２００ｍｍの細長い棒状であって、固有振動数が２４０〜２６０サイクル／分である弾性素材から形成され、その基端部が手で握るためのグリップ部となされるとともに、先端部がグリップ部の左右動作に応じて小刻みに振動するものとなされていることを特徴とする。
【００１０】
これによれば、練習者が、セットアップ姿勢において本練習器のグリップ部をスイング方向に左右に軽く動かすと、それに応じて本練習器の先端部をスイング方向に小刻みに振動させることができる。また、本練習器の先端部を小刻みに振動させながらスイング方向前方に移動させたり、あるいは同じく本練習器の先端部を小刻みに振動させながらスイング方向後方に移動させることができる。
【００１１】
また、前記断面の縦長さが１８ｍｍ〜２２ｍｍ、横長さが１２ｍｍ〜１６ｍｍとなされているのが好ましい。これによれば、断面横側の側面を人の体に対向する方向に向けながらグリップ部を握ると、例えば親指が当該側面に添えるなどして、正しいグリップ部の握り方を容易に把握することができる。しかも、スイング過程において断面縦側の側面がスイング方向に常に直角に向くようにすれば、各スイング過程における正しい手の向きを容易に把握することができる。
【００１２】
また、前記断面の縦長さが１８ｍｍ〜２２ｍｍ、横長さが１２ｍｍ〜１６ｍｍとなされているのが好ましい。これによれば人にとって非常に握りやすい断面の大きさとなり、より一層スイング練習を行うことができる。
【００１３】
また、前記弾性素材はＡＢＳ樹脂であるのが好ましい。これによれば、万一の地面への接触などによる衝撃に対して割れることがなく、製品としての安全性を向上させることができる。
【００１４】
また、前記グリップ部にゴム製のグリップカバーが被覆されているのが好ましい。これによれば、グリップ部において手が滑りにくくなり、より一層簡単にスイング練習を行うことができる。
【００１５】
また、先端部においてスイング方向に対して垂直となるような平板が設けられてもよい。これによれば、本練習器をフルスイングした際に、平板が空気抵抗を受けることにより練習器全体が大きく撓るため、フルスイングの練習も行うことができる。また、平板が設けられることにより固有振動数が下がり、女性や子供でも無理なく先端部を振動させることができる。さらに平板をスイング方向に対して平行に向けるようにスイングすれば、正しいスイング軌道を容易に把握することもできる。
【発明の効果】
【００１６】
本発明によれば、セットアップ姿勢において本練習器の先端部をスイング方向に小刻みに振動させたり、さらに本練習器の先端部を小刻みに振動させながらスイング方向前方あるいは後方に移動させ得るため、スイングに重要な力点、支点、作用を体感しながら正しいインパクトゾーンを習得することができる。
【００１７】
また、正しいスイング軌道を描いて移動させていない場合、本練習器の先端部が小刻みに振動しないため、練習者は正しいスイング方向を簡単かつ確実に把握することができる。  さらに、本練習器の先端部を小刻みに振動させながら正しいスイング方向に移動させると、本練習器から振動に伴う力が体に伝わるため、スイングに必要な握力、上腕筋力、股筋力、腹筋力、背筋力などの各種筋力を同時に鍛えることができる。
【発明を実施するための最良の形態】
【００１８】
（実施形態１）
次に本発明の一実施形態について説明する。
【００１９】
図１は本実施形態に係るゴルフスイング練習器（以下、本練習器（１）という）の外観斜視図、図２は本練習器（１）の断面図である。
【００２０】
本練習器（１）は、図１および図２に示すように、長さ（Ｌ）が１０００ｍｍの細長い棒状に形成されている。
【００２１】
このように長さが１０００ｍｍの細長い棒状に形成したのは、実際のクラブやアイアンのシャフトに見立ててスイングするためである。長さは１０００ｍｍ程度がスイング練習にとって最も好ましい長さであるが、人の身長や腕のストローク長さによっては８００ｍｍ〜１２００ｍｍの範囲内において変更可能である。８００ｍｍ以上とするのは、それ未満であるとクラブやアイアンの代わりにスイングしているという感覚が減少するか或いはなくなるからである。また、１２００ｍｍ以下とするのは、それ以上だとスイング練習時において本練習器（１）の先端部（１１）が地面に接触するおそれがあるからである。
【００２２】
また、本練習器（１）では固有振動数が２５０サイクル／分であるＡＢＳ樹脂等の弾性素材から形成され、その基端部が手で握るためのグリップ部（１２）となされるとともに、先端部（１１）がグリップ部（１２）の左右動作に応じて小刻みに振動するものとなされている。
【００２３】
練習者が、図４（ａ）に示すように、セットアップ姿勢において本練習器（１）をスイング方向に左右に軽く動かすと、それに応じて本練習器（１）の先端部（１１）をスイング方向に小刻みに振動させることができる。また、図４（ｂ）に示すように、本練習器（１）の先端部（１１）をスイング方向に小刻みに振動させながらスイング方向前方に移動させたり、あるいは図４（ｃ）に示すように、同じく本練習器（１）の先端部（１１）を小刻みに振動させながらスイング方向後方に移動させることができる。
【００２４】
このように本練習器（１）の先端部（１１）をスイング方向に小刻みに振動させることによって、スイング時における力点、支点、作用を体感することができる。すなわち、右利きのゴルファーの場合、クラブやアイアンのスイング過程ではグリップ部（１２）における左手（ｌ)が力点、右手（ｒ）が支点、先端部（１１）が作用点として機能しているが、アマチュアゴルファーにはこれら力点、支点、作用点がどのように働いているかを体感することは事実上不可能であり、プロゴルファーにとっても体感することは難しい場合が多い。しかし、本練習器（１）を使用すると、左手（ｌ）を力点、右手（ｒ）を支点、先端部（１１）を作用点として小刻みに振動するため、スイング時における力点、支点、作用点が体感できるようになり、ひいては正しいインパクトゾーンを習得することができる。なお、左利きのゴルファーの場合、右手（ｒ）が力点、左手（ｌ）が支点、先端部（１１）が作用点となる。
【００２５】
また、正しいスイング軌道を描いて移動させていない場合、本練習器（１）の先端部（１１）が小刻みに振動しないため、練習者は正しいスイング方向を簡単かつ確実に把握することができる。
【００２６】
さらに、本練習器（１）の先端部（１１）を小刻みに振動させながら正しいスイング方向に移動させると、本練習器（１）から振動に伴う力が体に伝わるため、スイングに必要な握力、上腕筋力、股筋力、腹筋力、背筋力などの各種筋力を同時に鍛えることができる。
【００２７】
なお、本練習器（１）の固有振動数を２５０サイクル／分としたが、２４０〜２６０サイクル／分の範囲内で設計変更可能である。このように固有振動数を２６０サイクル／分以下としたのは、これより高い固有振動数であると本練習器（１）全体が硬くなり、先端部を振動させにくくなるからである。一方、固有振動数を２４０サイクル／分以上としたのは、これより低い固有振動数であると本練習器（１）全体が柔らかくなり、振動が小刻みなものでなく緩やかなものとなるからである。すなわち、本練習器（１）のグリップ部（１２）の左右動作に応じて先端部（１１）が小刻みに振動するようにさせるには、本練習器（１）の固有振動数を２４０〜２６０サイクル／分にするのが最も好適なのである。
【００２８】
なお、固有振動数については、一般にクラブやアイアンの硬さの指標となるものであり、例えば基端部から１４インチの箇所を支点とし、先端部に重りを付けた状態で当該先端部を振動させ、そのときの振動数を固有振動数とすることが行われている。
【００２９】
また、弾性素材の例としてＡＢＳ樹脂を挙げたがこれに限定されるものではない。ただ、ＡＢＳ樹脂の場合、万一の地面への接触などによる衝撃に対して割れることがなく、製品としての安全性を向上させることができるので好ましい。
【００３０】
また、本練習器（１）は、図２に示すように、長さ方向に対して直角な方向の断面が矩形状に形成され、その断面縦長さ（Ｔ）が２０ｍｍ、断面横長さ（Ｗ）が１４ｍｍとなされている。
【００３１】
このように断面を矩形状とすることによって、断面横側の側面（１ａ）を人の体に対向する方向に向けながらグリップ部（１２）を握ると、例えば図３に示すように、親指が当該側面（１ａ）に添えるなどして、正しいグリップ部（１２）の握り方を容易に把握することができる。しかも、スイング過程において断面縦側（１ｂ）の側面がスイング方向に常に直角に向くようにすれば、各スイング過程における正しい手の向きを容易に把握することができる。
【００３２】
なお、練習器（１）の断面縦長さ（Ｔ）および断面横長さ（Ｗ）は上述のものに限定されるものではない。ただ、人にとって非常に握りやすものとするためには、縦長さが１８ｍｍ〜２２ｍｍ、横長さが１２ｍｍ〜１６ｍｍとするのが好ましい。
【００３３】
また、本練習器（１）は、図１に示すように、グリップ部（１２）にゴム製のグリップカバー（２）が被覆されている。グリップカバー（２）は本練習器（１）の側面形状に沿った形状にするのが好ましいが、通常のクラブやアイアンに使用されている汎用的なグリップカバーを適用してもよい。これによりグリップ部（１２）において手が滑りにくくなり、より一層簡単にスイング練習を行うことができる。
【００３４】
（実施形態２）
次に本発明の第２の実施形態について説明する。
【００３５】
本実施形態では、図４に示すように、本練習器（１）の先端部（１１）に平板（３）が設けられている。
【００３６】
この平板（３）は、練習器の長さ方向の縦長さが２００ｍｍ、その直交方向の横長さが１５０ｍｍ、厚さが２ｍｍ程のＡＢＳ樹脂からなる矩形状の平板（３）である。
【００３７】
これによれば本練習器（１）をフルスイングした際に、平板（３）が空気抵抗を受けることにより練習器（１）全体が大きく撓るため、フルスイングの練習も行うことができる。また、平板（３）が設けられることにより固有振動数が下がり、女性や子供でも無理なく先端部（１１）を振動させることができる。さらに平板（３）を常にスイング方向に対して平行に向けるようにスイングすれば、正しいスイング軌道を容易に把握することもできる。
【００３８】
特に本練習器（１）の先端部（１１）に平板（３）を設ける際には、本実施形態のように平板（３）が本練習器（１）の先端部（１１）の一方片側、すなわちスイング方向に対して直交する上側に伸びるような態様とするのが好ましい。これによればスイング時において平板（３）が地面に接触することが防止され、気兼ねなくスイング練習を行うことができる。しかも、平板（３）を本練習器（１）の先端部の他方片側に付け替えれば、左利きのゴルファーも使用することができる。
【００３９】
また、本練習器（１）の先端部（１１）に平板（３）を設ける方法としては、本実施形態のように例えばネジ（３１）により固定する方法が挙げられる。これによれば、平板（３）を本練習器（１）から簡単に脱着し得るため、実施形態１のような小刻みな振動によるスイング練習を行ったり、本実施形態のようなフルスイングの練習を行ったりすることができる。
【００４０】
また、本実施形態のように平板（３）のネジ孔（３ａ）をカギ状に形成するのが好ましい。これによればネジを完全に取りはずことなく若干弛めるだけで、平板（３）を本練習器（１）から脱着することができる。しかも、カギ状のネジ孔（３ａ）の最奥部においてネジ止め固定することにより、平板（３）が本練習器（１）から外れることを防止できる。
【図面の簡単な説明】
【００４１】
【図１】本練習器の外観斜視図である。
【図２】本練習器のＩ−Ｉ線断面図である。
【図３】本練習器を握った状態を示す図である。
【図４】本練習器を使用した状態を示す図である。
【図５】他の実施形態に係る本練習器の外観斜視図である。
【図６】図５の本練習器の先端部における拡大側面図である。
【符号の説明】
【００４２】
１・・・本練習器
１１・・・先端部
１２・・・グリップ部
２・・・グリップカバー
３・・・平板
【図１】
2008194274.tif 000003
【図２】
2008194274.tif 000004
【図３】
2008194274.tif 000005
【図４】
2008194274.tif 000006
【図５】
2008194274.tif 000007
【図６】
2008194274.tif 000008